(57)【要約】【課題】遊技機島に種類の異なる遊技機間での入替えを行う際に、手間が掛からず極めて容易に行える遊技機設置ユニットを提供する。【解決手段】遊技機設置ユニット１は、遊技機島１００における遊技機設置位置に置かれた遊技機Ｐ，Ｓを遊技機固定手段１０，１０Ａが下方に向けて押圧することによって遊技機Ｐ，Ｓを遊技機島１００に押し付けるようにして固定する。【選択図】図１
2018029871.tif 000002
【特許請求の範囲】
【請求項１】
遊技機を設置する遊技機島に外寸の異なる機種の遊技機を設置するための遊技機設置ユニットにおいて、
遊技機島における遊技機設置位置に置かれた遊技機を下方に向けて押圧して、前記遊技機を前記遊技機島に押し付けて固定する遊技機固定手段を有することを特徴とする遊技機設置ユニット。
【請求項２】
遊技機を設置する遊技機島に外寸の異なる機種の遊技機を設置するための遊技機設置ユニットにおいて、
遊技機島における遊技機設置位置に置かれた遊技機を下方に向けて押圧して、前記遊技機を前記遊技機島に押し付けて固定する遊技機固定手段と、
特定の遊技機に対して必要となる、前記遊技機島に設けられた遊技関連機器を、前記特定の遊技機に使用するときの使用状態と前記遊技関連機器を必要としない遊技機に対して邪魔にならない不使用状態とに変更可能とする関連機器移動手段と、
から成ることを特徴とする遊技機設置ユニット。
【請求項３】
前記遊技機島は、延設された鴨居と該鴨居よりも下方で該鴨居と平行に延設された膳板とを備え、前記遊技機は該鴨居と膳板との間に配設され、
前記遊技機固定手段は、少なくとも前記鴨居に取り付けられており、前記遊技機側の上面部を下方に押圧する上部固定手段を有することを特徴とする請求項２に記載の遊技機設置ユニット。
【請求項４】
前記遊技機島は、延設された鴨居と該鴨居よりも下方で該鴨居と平行に延設された膳板とを備え、前記遊技機は該鴨居と膳板との間に配設され、
前記遊技機固定手段は、少なくとも前記膳板に着脱および移動可能に取り付けられており、前記遊技機側の下面部を下方に押圧する下部固定手段を有することを特徴とする請求項２または３に記載の遊技機設置ユニット。
【請求項５】
前記関連機器移動手段は、前記遊技関連機器を取り付ける取付部を前記上部固定手段に回動可能に設けたものであることを特徴とする請求項３または４に記載の遊技機設置ユニット。
【請求項６】
前記関連機器移動手段は、前記遊技関連機器を取り付ける取付部を設けた前記下部固定手段が兼ねるものであることを特徴とする請求項４または５に記載の遊技機設置ユニット。
【請求項７】
前記遊技機固定手段は、遊技機を前記膳板に向けて押圧して固定するための下方圧え型のトグルクランプを備えたことを特徴とする請求項３から６のいずれか一項に記載の遊技機設置ユニット。
【請求項８】
請求項１から７までのいずれか一項に記載の遊技機設置ユニットを備えた遊技機島。
【発明の詳細な説明】
【技術分野】
【０００１】
本発明は、遊技機を設置する遊技機島に、外寸の異なる機種の遊技機を設置するための遊技機設置ユニットに関する。
【背景技術】
【０００２】
従来から、パチンコ台やスロット台等の遊技機は遊技機島に設置されている。ところがパチンコ台とスロット台とでは高さ、幅、奥行き等の外寸が異なっている。ところで、パチンコ台を設置する遊技機島にはパチンコ台にパチンコ玉を供給するための補給装置や、アウト玉を受けるアウトタンク等のいわゆる遊技関連機器が設けられている。これらはパチンコ台の裏側に配設されている。
【０００３】
また、他にもパチンコ台を固定する固定金具等が用いられている。このためパチンコ台を設置してある遊技機島にパチンコ台よりも奥行きのあるスロット台を設置しようとするとそれら遊技関連機器がスロット台と干渉して邪魔になるので、遊技関連機器を取り外さなければならず、単純にパチンコ台をスロット台と入れ替えて設置することができない。
【０００４】
また、逆の場合には遊技関連機器を取り付けなければならない。さらに、高さが異なる遊技機を入れ替える場合には、遊技機の高さに合わせて、設置に必要な部材等の交換が必要になる。このため同じ遊技機島でパチンコ台およびスロット台を入れ替えるためには、多くの作業が必要となり手間と時間が掛かってしまうので、パチンコ台およびスロット台はそれぞれ専用の遊技機島に設置されることが多い。
【０００５】
しかし、異なる種類の遊技機を設置できる兼用タイプの遊技機島であれば、設備費用の点や異なる機種の遊技機の配置の自由度が上がる点を始めとして様々な利点が得られる。このため、異なる機種の遊技機を設置できるようにした遊技機島もある。このような遊技機島では、遊技機を設置するスペースに台枠を入れ、この台枠に遊技機を収納して固定するようになっている。
【０００６】
このような遊技機島に設置されている遊技機を他の種類の遊技機と交換する場合には、先ず、遊技機島に設置してある遊技機を枠部材から取り外す。その後、枠部材を設置ケースから取り外す。次に、新たに交換する他の種類の遊技機に対応した規格の枠部材を設置ケースに取り付ける。その後、枠部材の内側に他の種類の遊技機を収納して固定する。
【０００７】
また、種類の異なる遊技機をより簡単に交換できる遊技機島として、例えば特許文献１に示したような遊技機設置島台がある。これは一つの遊技機設置島台に一台の遊技機を設置する単体島タイプのものである。この遊技機設置島台は、遊技機設置島台の上部側に設けられ、パチンコ台またはスロット台の上端を支持する上ユニットと、遊技機設置島台の下部側に設けられ、スロット台またはパチンコ台の下端を支持する下ユニットとを備えている。上ユニットには上係止ピンが設けられており、下ユニットには下係止ピンが設けられている。
【０００８】
パチンコ台を遊技機設置島台に設置する場合には、遊技機設置島台の支柱に設けられた複数の係止溝のうち、パチンコ台の設置をするための位置に設けられている係止溝に上係止ピンおよび下係止ピンを係止する。これにより、上ユニットと下ユニットとの高さをパチンコ台の設置に合った高さにすることができる。
【０００９】
設置してあるパチンコ台をスロット台に入れ替える場合には、係止溝に係止している上係止ピンと下係止ピンとをスロット台の設置に合う位置にある係止溝に掛け替えて、上ユニットと下ユニットとの高さをスロット台の設置に合った高さにする。これにより、異なる機種の遊技機間の入れ替えにおける高さの調整が比較的容易にできるようにしている。
【先行技術文献】
【特許文献】
【００１０】
【特許文献１】特開２０１４−４０９３号公報
【発明の概要】
【発明が解決しようとする課題】
【００１１】
しかしながら、特許文献１に記載の遊技機設置台島でも、係止溝に係止している上係止ピンと下係止ピンとを設置しようとする遊技機に合わせて位置を変えなければならず、種類の異なる遊技機の間で入れ替えを行う場合、まだまだ手間が掛かっていた。また、種類の異なる遊技機で必要となったり不要となったりする遊技関連機器の着脱作業に関しては、従来と同様に手間と時間が掛かっていた。
【００１２】
本発明は、このような従来の技術が有する問題点に着目してなされたもので、遊技機島に種類の異なる遊技機間での入替えを行う際に、手間が掛からず極めて容易に行える遊技機設置ユニットを提供することを目的としている。
【課題を解決するための手段】
【００１３】
かかる目的を達成するための本発明の要旨とするところは、次の各項の発明に存する。
［１］  遊技機（Ｐ，Ｓ）を設置する遊技機島（１００）に外寸の異なる機種の遊技機（Ｐ，Ｓ）を設置するための遊技機設置ユニット（１）において、
遊技機島（１００）における遊技機設置位置に置かれた遊技機（Ｐ，Ｓ）を下方に向けて押圧して、前記遊技機（Ｐ，Ｓ）を前記遊技機島（１００）に押し付けて固定する遊技機固定手段（１０，１０Ａ）を有することを特徴とする遊技機設置ユニット（１）。
【００１４】
［２］  遊技機（Ｐ，Ｓ）を設置する遊技機島（１００）に外寸の異なる機種の遊技機（Ｐ，Ｓ）を設置するための遊技機設置ユニット（１）において、
遊技機島（１００）における遊技機設置位置に置かれた遊技機（Ｐ，Ｓ）を下方に向けて押圧して、前記遊技機（Ｐ，Ｓ）を前記遊技機島（１００）に押し付けて固定する遊技機固定手段（１０，１０Ａ）と、
特定の遊技機（Ｐ）に対して必要となる、前記遊技機島（１００）に設けられた遊技関連機器（２００，３００）を、前記特定の遊技機（Ｐ）に使用するときの使用状態と前記遊技関連機器（２００，３００）を必要としない遊技機（Ｓ）に対して邪魔にならない不使用状態とに変更可能とする関連機器移動手段（２０，３０）と、
から成ることを特徴とする遊技機設置ユニット（１）。
【００１５】
［３］  前記遊技機島（１００）は、延設された鴨居（１０１）と該鴨居（１０１）よりも下方で該鴨居（１０１）と平行に延設された膳板（１０２）とを備え、前記遊技機（Ｐ，Ｓ）は該鴨居（１０１）と膳板（１０２）との間に配設され、
前記遊技機固定手段（１０、１０Ａ）は、少なくとも前記鴨居（１０１）に取り付けられており、前記遊技機（Ｐ，Ｓ）側の上面部を下方に押圧する上部固定手段（１０）を有することを特徴とする項［２］に記載の遊技機設置ユニット（１）。
【００１６】
［４］  前記遊技機島（１００）は、延設された鴨居（１０１）と該鴨居（１０１）よりも下方で該鴨居（１０１）と平行に延設された膳板（１０２）とを備え、前記遊技機（Ｐ，Ｓ）は該鴨居（１０１）と膳板（１０２）との間に配設され、
前記遊技機固定手段（１０、１０Ａ）は、少なくとも前記膳板（１０２）に着脱および移動可能に取り付けられており、前記遊技機（Ｐ，Ｓ）側の下面部を下方に押圧する下部固定手段（１０Ａ）を有することを特徴とする［２］または［３］に記載の遊技機設置ユニット（１）。
【００１７】
［５］  前記関連機器移動手段（２０）は、前記遊技関連機器（２００）を取り付ける取付部（２１）を前記上部固定手段（１０）に回動可能に設けたものであることを特徴とする項［３］または［４］に記載の遊技機設置ユニット（１）。
【００１８】
［６］  前記関連機器移動手段（３０）は、前記遊技関連機器（３００）を取り付ける取付部（３１ａ）を設けた前記下部固定手段（１０Ａ）が兼ねるものであることを特徴とする項［４］または［５］の何れか一項に記載の遊技機設置ユニット（１）。
【００１９】
［７］  前記遊技機固定手段（１０，１０Ａ）は、遊技機（Ｐ，Ｓ）を前記膳板（１０２）に向けて押圧して固定するための下方圧え型のトグルクランプ（１１，１１Ａ）を備えたことを特徴とする項［３］から［６］のいずれか一項に記載の遊技機設置ユニット（１）。
【００２０】
［８］  項［１］から［７］までのいずれか一項に記載の遊技機設置ユニット（１）を備えた遊技機島（１００）。
【００２１】
前記本発明は次のように作用する。  
項［１］に係る遊技機設置ユニット（１）並びに項［８］に係る遊技機島（１００）によれば、遊技機島（１００）に設置されている遊技機（Ｐ，Ｓ）をそれとは高さの異なる遊技機（Ｐ，Ｓ）と入れ替えるときは、設置されている遊技機（Ｐ，Ｓ）を下方に向けて遊技機島（１００）に押圧している遊技機固定手段（１０，１０Ａ）を操作して押圧力を解除する。これにより、遊技機（Ｐ，Ｓ）を遊技機島（１００）に固定している力がなくなるので、遊技機島（１００）の遊技機設置位置に置かれている遊技機（Ｐ，Ｓ）を遊技機島（１００）から容易に取り外すことができる。
【００２２】
その後、新たに入れ替える遊技機（Ｐ，Ｓ）を遊技機設置位置に置いて遊技機固定手段（１０，１０Ａ）を操作し、遊技機（Ｐ，Ｓ）を下方に向けて遊技機島（１００）に押圧して遊技機（Ｐ，Ｓ）を遊技機島（１００）に固定する。これにより、異なる機種の遊技機（Ｐ，Ｓ）を容易かつ短時間に入れ替えることができる。
【００２３】
項［２］に係る遊技機設置ユニット（１）では、さらに、遊技機島（１００）に設けられている遊技関連機器（２００，３００）のうち、特定の遊技機（Ｐ）に対しては必要となるが他の機種の遊技機（Ｓ）には必要でない機器は、関連機器移動手段（２０，３０）により、遊技関連機器（２００，３００）を移動させることができる。すなわち遊技関連機器（２００，３００）を必要とする遊技機（Ｐ）に対しては使用状態にできる位置に移動させ、遊技関連機器（２００，３００）を必要としない遊技機（Ｓ）に対しては遊技機（Ｓ）の邪魔にならない位置に移動させて不使用状態とすることができる。これにより、高さだけでなく奥行きの異なる遊技機（Ｐ，Ｓ）を遊技機島（１００）に容易かつ短時間で入れ替えることができる。
【００２４】
項［３］に係る遊技機設置ユニット（１）によれば、遊技機固定手段（１０，１０Ａ）のうち、遊技機島（１００）に延設されている鴨居（１０１）に取り付けられている上部固定手段（１０）が遊技機（Ｐ，Ｓ）側の上面部を下方に押圧するので、遊技機（Ｐ，Ｓ）は遊技機島（１００）の膳板（１０２）に押し付けられるようにして固定される。
【００２５】
項［４］に係る遊技機設置ユニット（１）によれば、遊技機固定手段（１０，１０Ａ）のうち、膳板（１０２）に着脱可能に取り付けられている下部固定手段（１０Ａ）が遊技機（Ｐ，Ｓ）側の下面部を下方に押圧するので、遊技機（Ｐ，Ｓ）は遊技機島（１００）の膳板（１０２）に押し付けられるようにして固定される。さらに、上部固定手段（１０）も備えるものであれば、より強固に遊技機（Ｐ，Ｓ）を遊技機島（１００）に設置することができる。さらにまた、下部固定手段（１０Ａ）は、膳板（１０２）に着脱および移動可能に取り付けられているので、遊技機島（１００）に設置する遊技機（Ｐ，Ｓ）の外寸により、膳板（１０２）から外したり、外さずに移動させるだけにしたりできる。
【００２６】
項［５］に係る遊技機設置ユニット（１）によれば、関連機器移動手段（２０、３０）のうち取付部（２１）を回動可能に上部固定手段（１０）に設けた関連機器移動手段（２０）は、遊技関連機器（２００）を取付部（２１）に取り付けた状態で回動することができる。したがって、遊技機島（１００）に設置した遊技機（Ｐ）が遊技関連機器（２００）を必要とするものであれば、遊技関連機器（２００）を取付部（２１）ごと回動して遊技関連機器（２００）を使用できる位置まで移動させればよい。
【００２７】
また、遊技機島（１００）に入れ替える新たな遊技機（Ｓ）が遊技関連機器（２００）を必要としないものであり、設置の際に遊技関連機器（２００）が新たな遊技機（Ｓ）に干渉して邪魔になるような場合は、遊技関連機器（２００）を取付部（２１）ごと回動して遊技機（Ｓ）と干渉しない位置に移動させればよい。
【００２８】
項［６］に係る遊技機設置ユニット（１）によれば、関連機器移動手段（２０、３０）のうち、取付部（３１ａ）を取り付けた下部固定手段（１０Ａ）が兼ねる関連機器移動手段（３０）は、遊技関連機器（３００）を取付部（３１ａ）に取り付けた状態で遊技機島（１００）に着脱することができる。したがって、遊技機島（１００）に設置した遊技機（Ｐ）が遊技関連機器（３００）を必要とするものであれば、遊技機（Ｐ）を遊技機島（１００）に設置するために下部固定手段（１０Ａ）を遊技機島（１００）に固定することによって同時に遊技関連機器（３００）を使用状態にすることができる。
【００２９】
また、遊技機島（１００）に入れ替える新たな遊技機（Ｓ）が遊技関連機器（３００）を必要としないものであり、設置の際に遊技関連機器（３００）が新たな遊技機（Ｓ）に干渉して邪魔になるような場合は、遊技関連機器（３００）を取り付けたままで下部固定手段（１０Ａ）を遊技機島（１００）から取り外せばよい。
【００３０】
項［７］に係る遊技機設置ユニット（１）によれば、遊技機固定手段（１０，１０Ａ）の上部固定手段（１０）および下部固定手段（１０Ａ）ともに下方圧え型のトグルクランプ（１１，１１Ａ）を備えているので、遊技機（Ｐ，Ｓ）を膳板（１０２）に向けて押圧して固定したり、固定している遊技機（Ｐ，Ｓ）を押圧している力を解除したりすることが極めて容易である。
【発明の効果】
【００３１】
本発明にかかる遊技機設置ユニットによれば、高さの異なる遊技機の入れ替えに際して、遊技機固定手段が遊技機を下方に向けて押圧するので、遊技機を遊技機島に押し付けて固定することができる。これにより、遊技機の入れ替えを容易かつ短時間に行うことができる。
【００３２】
また、遊技機島に設けられている遊技関連機器のうち、特定の遊技機に対して必要となるものは、関連機器移動手段により、使用状態となる位置に移動させ、遊技関連機器を必要としない遊技機が設置される場合には不使用状態として遊技機の邪魔とならない位置に移動させることができる。これにより、高さや奥行きの異なる遊技機を遊技機島に容易かつ短時間に入れ替えることができる。
【図面の簡単な説明】
【００３３】
【図１】本発明の一実施の形態に係る遊技機設置ユニットによって遊技機を遊技機島に設置した状態を示す正面図である。
【図２】本発明の一実施の形態に係る遊技機設置ユニットによって遊技機島にパチンコ機を設置した場合の遊技機設置ユニットの全体配置を説明する側面図である。
【図３】本発明の一実施の形態に係る遊技機設置ユニットの上部固定手段を示す斜視図である。
【図４】図３の遊技機設置ユニットの上部固定手段の一つの状態を示す正面図である。
【図５】図３の遊技機設置ユニットの上部固定手段の他の状態を示す正面図である。
【図６】図５における遊技機設置ユニットを示す側面図である。
【図７】関連機器移動手段を遊技機島から取り外した状態を説明する斜視図である。
【図８】遊技機島にスロット機を設置しようとする場合の遊技機設置ユニットの全体を示す側面図である。
【図９】遊技機島にスロット機を設置した状態の遊技機設置ユニットを示す側面図である。
【発明を実施するための形態】
【００３４】
以下、図面に基づき本発明の好適な一実施の形態を説明する。  
各図は本発明の一実施の形態を示している。  
本実施の形態に係る遊技機設置ユニット１は、遊技機島１００に外寸の異なる機種の遊技機Ｐ，Ｓを設置するためのものである。遊技機設置ユニット１は、遊技機Ｐ，Ｓを遊技機島１００に固定するための遊技機固定手段１０，１０Ａと、遊技機島１００に設置した特定の遊技機Ｐに必要となる遊技関連機器２００，３００を特定の遊技機Ｐに対して使用できる状態にする関連機器移動手段２０，３０とを備えている。
【００３５】
図１は、遊技機設置ユニット１の遊技機固定手段１０によって遊技機島１００に遊技機Ｐと遊技機Ｓとを固定した状態を示している。図２は、遊技機固定手段１０によって遊技機島１００に固定された遊技機Ｐを側面方向から見た図である。
【００３６】
遊技機固定手段１０は、遊技機島１００の鴨居１０１の上に固定されている。鴨居１０１は遊技機島１００の下部で水平に延びている。また、遊技機固定手段１０Ａは、遊技機島１００の膳板１０２上に配置されている。膳板１０２は、遊技機島１００の下部で鴨居１０１と平行に延びている。本実施の形態において例示する遊技機Ｐはパチンコ機Ｐであり、遊技機Ｓはスロット機Ｓである。パチンコ機Ｐとスロット機Ｓとは通常、高さ、奥行き、幅の外寸の何れか或いは何れもが異なっている。
【００３７】
パチンコ機Ｐおよびスロット機Ｓは、膳板１０２の所定位置に配置されている。パチンコ機Ｐおよびスロット機Ｓそれぞれは、台枠１０３の上面である上面部が遊技機固定手段１０によって下方に押圧されている。なお、以下において遊技機固定手段１０を上部固定手段１０と記す。
【００３８】
また、台枠１０３の下端にある下面部が遊技機固定手段１０Ａによって下方に押圧されている。この遊技機固定手段１０Ａは、以下において下部固定手段１０Ａと記す。これら上部固定手段１０および下部固定手段１０Ａそれぞれによる押圧力により、パチンコ機Ｐおよびスロット機Ｓは遊技機島１００に押し付けられて堅固に固定されている。
【００３９】
図３は、遊技機設置ユニット１の上部固定手段１０を示す斜視図であり、図４および図５は、遊技機設置ユニット１の上部固定手段１０を示す正面図である。図６は、鴨居１０１に固定されている上部固定手段１０および関連機器移動手段２０を側面方向から見た図である。上部固定手段１０は、鴨居１０１に固定される金属のベースブラケット２に一対のトグルクランプ１１を固設したものである。
【００４０】
トグルクランプ１１は、一般的な下方圧え型のものであり、ハンドル１１０の操作に連動するクランプアーム１２０にクランプボルト１３０を取り付けたものである。ハンドル１１０にはロックレバー１１１が連結されており、ロックレバー１１１には係止爪１１１ａが設けられている。この係止爪１１１ａは、ロックレバー１１１を倒してクランプボルト１３０で遊技機Ｐ，Ｓを押圧するときにトグルクランプ１１のベースに設けた係止部１１１ｂに係止させることができる。これにより、クランプボルト１３０が遊技機Ｐ，Ｓを押圧している状態を維持できる。
【００４１】
ベースブラケット２には、それぞれのトグルクランプ１１よりも端縁寄りに開口Ａが孔設されている。この開口Ａは、ハンドル１１０の操作によって後述するボルトヘッド１３１の押圧部材１３２が昇降出入りできる大きさのものである。開口Ａの真下の鴨居１０１の部分にも開口Ａと同様の開口が孔設されている。
【００４２】
また、開口Ａからは関連機器移動手段２０を所定の状態にロックするためのロック板Ｂが突き出して立設されている。ロック板Ｂはベースブラケット２に固定されている。なお、ロック板Ｂは、開口Ａの下の鴨居１０１に固定されていてもよい。
【００４３】
このロック板Ｂには、２つのロック孔Ｃ１、Ｃ２が穿設されている。使用状態ロック孔Ｃ１は、関連機器移動手段２０に取り付けられた後述する遊技関連機器である補給装置２００を使用する状態にするために、関連機器移動手段２０を所定の位置に固定するためのものである。また、不使用状態ロック孔Ｃ２は、スロット機Ｓのように補給装置２００が不要な遊技機を設置する場合に、補給装置２００および関連機器移動手段２０を遊技機の邪魔にならない不使用の位置に固定するためのものである。
【００４４】
クランプアーム１２０にはクランプボルト１３０を挿入する長孔のスライド孔１２１が形成されている。このスライド孔１２１に挿入されたクランプボルト１３０は、スライド孔１２１内における任意の位置に固定させることができる。クランプボルト１３０は、ワッシャ１２２とナット１２３とによってクランプアーム１２０に固定される。
【００４５】
したがって、クランプボルト１３０がクランプアーム１２０から延びる位置は、ナット１２３を緩めた状態でスライド孔１２１を移動させてからナット１２３を締めることにより、任意の位置で固定させることができる。また、ナットで締め付ける位置を変えることにより、クランプアーム１２０から延びるクランプボルト１３０の長さも調整することができる。トグルクランプ１１は、このようにクランプアーム１２０におけるクランプボルト１３０の位置やクランプアーム１２０から遊技機Ｐ，Ｓ側へ延びるクランプボルト１３０の長さを調整することによって遊技機Ｐ，Ｓに取り付けられている台枠１０３の上面部に対する押圧力を調節することができる。
【００４６】
図３および図４の紙面上における右側のトグルクランプ１１は、ハンドル１１０を倒して遊技機Ｐ，Ｓに対して押圧力を加えているときの状態であり、左側のトグルクランプ１１は、ハンドル１１０を起こして遊技機Ｐ，Ｓに対する押圧力を解除しているときの状態である。また、図５は、一対のトグルクランプ１１それぞれが遊技機Ｐ，Ｓに対して押圧力を加えているときの状態を示している。トグルクランプ１１が遊技機Ｐ，Ｓに対して押圧力を加えている状態では、クランプボルト１３０のボルトヘッド１３１が開口Ａよりも下がって遊技機Ｐ，Ｓ側の台枠１０３の上面部を押圧することができる。
【００４７】
図４、図５および図６から分かるようにクランプボルト１３０のボルトヘッド１３１には、金属等の硬質材から成る押圧部材１３２が取り付けられている。この押圧部材１３２は、ボルトヘッド１３１に固定する固定部１３２ａと、クランプボルト１３０の軸と平行に延び、固定部１３２ａから突出した複数の突起部１３２ｂとから成っている。この押圧部材１３２は、遊技機Ｐ，Ｓの上面部を押圧する側に突出している。これにより、クランプボルト１３０と遊技機Ｐ，Ｓ側の台枠１０３の上面部との摩擦係数が大きくなり、よりしっかりと遊技機Ｐ，Ｓを遊技機島１００に固定することができる。なお、台枠１０３の上面部を木材とした場合、固定部１３２ａの突起部１３２ｂが上面部に食い込むので、より強固に遊技機Ｐ，Ｓを遊技機島１００に固定することができる。
【００４８】
上部固定手段１０は、遊技機島１００の奥側に蝶番１４０によって回動可能に取り付けられた関連機器移動手段２０を備えている。図２、図３および図６に示したように、関連機器移動手段２０の平板状の取付部２１には、遊技機島１００にパチンコ機Ｐを設置したときに必要となるパチンコ玉の補給装置２００が取り付けられている。
【００４９】
したがって、補給装置２００は、関連機器移動手段２０を回動させることによって関連機器移動手段２０とともに変位させることができる。これにより、補給装置２００を必要とする遊技機Ｐに対しては、補給装置２００を使用する状態にできる位置に回動することができ、補給装置２００を必要としない遊技機Ｓに対しては遊技機Ｓの設置位置に干渉せず、邪魔にならない位置に退避させておくことができる。
【００５０】
また、取付部２１の両端付近には、それぞれ一つずつロック装置２２が配設されている。ロック装置２２は、ケーシング２２１内を進退可能に貫通するシャフト２２２を備えている。シャフト２２２の基端には、操作者がシャフト２２２の操作を行うときに摘むツマミ２２３が取り付けられている。
【００５１】
このロック装置２２は、シャフト２２２を押し込んだ状態でロック可能であり、シャフト２２２を押し込んだロック状態を解除するための解除ボタン２２４を備えている。ロック装置２２の内部機構はこの種の一般的なスイッチと同様である。
【００５２】
図３に示したように関連機器移動手段２０の取付部２１を引き上げた状態でシャフト２２２のツマミ２２３側をケーシング２２１側に押し込むと、シャフト２２２の先端がロック板Ｂの使用状態ロック孔Ｃ１に嵌入する。関連機器移動手段２０の２つのロック装置２２それぞれのシャフト２２２の先端をそれぞれのロック板Ｂの使用状態ロック孔Ｃ１に嵌入させることにより、関連機器移動手段２０を図３に示した位置に固定することができる。すなわち丸落しである。
【００５３】
図８は、補給装置２００を使用するパチンコ機Ｐから補給装置２００が不要なスロット機Ｓに入れ替える場合を示している。補給装置２００は、使用状態とする位置に関連機器移動手段２０がロックされている状態を示している。この場合、補給装置２００が邪魔になるので補給装置２００をスロット機Ｓの設置に邪魔にならない位置に退避させる必要がある。そのためには、関連機器移動手段２０の２つのロック装置２２それぞれのシャフト２２２の先端をそれぞれのロック板Ｂの使用状態ロック孔Ｃ１から外して関連機器移動手段２０を上方へ回動させ、それぞれのシャフト２２２の先端をそれぞれの不使用状態ロック孔Ｃ２に嵌入させればよい。
【００５４】
これにより、図９に示したような退避位置に関連機器移動手段２０を維持することができる。以上のように、関連機器移動手段２０によって補給装置２００は、使用状態にできる位置と不使用状態にする位置との間の変位およびそれぞれの位置でのロックを工具を使用せずに行うことができる。
【００５５】
図２にも示したように、パチンコ機Ｐの背面側には、台枠１０３の下端にある下面部を下方に向けて押圧して遊技機を固定する下部固定手段１０Ａが膳板１０２に着脱可能に取り付けられている。関連機器移動手段３０に取り付けた遊技関連機器であるアウトタンク３００が膳板１０２上に配設されている。アウトタンク３００は、パチンコ機Ｐから排出されるパチンコ玉であるアウト玉を受けるタンクである。
【００５６】
図７に示したように、このアウトタンク３００は関連機器移動手段３０に設けられている。パチンコ機Ｐが遊技機島１００に設置されているときは、図２に示したように使用状態となる位置に配置されている。下部固定手段１０Ａはベース部３１を有しており、このベース板３１に設けられた取付部３１ａにアウトタンク３００が固定されている。下部固定手段１０Ａは関連機器移動手段３０を兼ねており、遊技機島１００の膳板１０２に着脱することができる。下部固定手段１０Ａのベース板３１には、一対のトグルクランプ１１Ａが取り付けられている。トグルクランプ１１Ａは、上記のトグルクランプ１１と同様に下方圧え型のものである。
【００５７】
下部固定手段１０Ａを装着する膳板１０２には一対の装着孔１０２ａが孔設されている。関連機器移動手段３０には、この装着孔１０２ａに挿入して係止させる不図示の係止部を有している。装着孔１０２ａと係止部との組合せは、装着孔１０２ａに挿入した係止部が係止するものであればどのような構造の組合せのものでもよい。
【００５８】
例えば、取付部３１の長手方向の両端部にカムロック３３が設けられているものである。カムロック３３のノブは、その軸がベース板３１を貫通しており、軸の下端部には装着孔１０２ａの長さよりも短いが幅よりも長い、例えば長方形の板状の係止部が軸に直交する方向に延びている。ノブを捩じると軸が回転して係止部も回転する。装着孔１０２ａが膳板１０２を貫通する孔であれば、係止部が膳板１０２の底面外側に出るような軸の長さであればよい。この場合、ノブを調節して係止部が装着孔１０２ａを通る向きにして係止部を装着孔１０２ａに通し、膳板１０２の下面から露出するようにし、その状態でノブを回転して係止部を膳板１０２に係止させることができる。
【００５９】
また、装着孔１０２ａを長く形成することにより、装着孔１０２ａの長さの分だけ下部固定手段１０Ａの位置を移動させることができる。カムロック３３で下部固定手段１０Ａを膳板１０２に固定した状態で一対のトグルクランプ１１Ａのレバーを倒してクランプボルトを介した押圧力を台枠１０３の下面部に加えることにより、関連機器移動手段３０とともに遊技関連機器３００を膳板１０２に固定することができる。
【００６０】
このように遊技関連機器３００を関連機器移動手段３０である下部固定手段１０Ａを介して膳板１０２に固定したり、膳板１０２から取り外したりすることには一切の工具を必要としない。これにより、遊技関連機器３００を遊技機島１００に取り付けたり、取り外したりする作業を容易かつ短時間で行うことができる。
【００６１】
次に本実施の形態に係る遊技機設置ユニット１の作用を説明する。  
図１において、遊技機島１００にはパチンコ機Ｐとスロット機Ｓとが設置されている。これらのうちパチンコ機Ｐをスロット機Ｓと入替えるときは、先ず、パチンコ機Ｐの上面部を下方に押圧して膳板１０２に押し付けるようにしている上部固定手段１０および台枠１０３の下面部を下方に押圧して膳板１０２に押し付けるようにいる下部固定手段１０Ａを操作して、押圧力を解除する。
【００６２】
上部固定手段１０による押圧力は一対のトグルクランプ１１によって加えられている。トグルクランプ１１による押圧力を解除するためには、ロックレバー１１１を引き上げて、トグルクランプ１１のベースに設けた係止部１１１ｂに係止しているロックレバー１１１の係止爪１１１ａを係止部１１１ｂから外せばよい。
【００６３】
この状態にしてからハンドル１１０を持ち上げると、クランプアーム１２０が持ち上がるのでクランプアーム１２０に取り付けられているクランプボルト１３０も持ち上がる。これにより、パチンコ機Ｐを遊技機島１００に押し付けていた押圧力が解除される。この操作を一対のトグルクランプ１１，１１それぞれについて行う。
【００６４】
また、パチンコ機Ｐには下部固定手段１０Ａの一対のトグルクランプ１１Ａ，１１Ａによっても下に向けた押圧力が加えられているので、上部固定手段１０のトグルクランプ１１，１１と同様にしてトグルクランプ１１Ａ，１１Ａによる押圧力を解除する。このようにしてパチンコ機Ｐを遊技機島１００に押し付けていた押圧力を全て解除することにより、パチンコ機Ｐを遊技機島１００から取り外すことができる。
【００６５】
図８に示したように、パチンコ機Ｐを取り外した後にスロット機Ｓを設置する場合、スロット機Ｓを図示した位置からさらに矢印で示した方向に移動させてから固定する。ここで、パチンコ機Ｐでは使用されていた補給装置２００およびアウトタンク３００がスロット機Ｓでは不要である上に設置位置に干渉しており、スロット機Ｓの設置の邪魔になっている。
【００６６】
補給装置２００は、退避位置まで回動させることによってスロット機Ｓの設置位置に干渉せず、スロット機Ｓの設置に邪魔にならない不使用状態にできる。アウトタンク３００は、膳板１０２から取り外すことによってスロット機Ｓの設置位置に干渉せず、スロット機Ｓの設置に邪魔にならない不使用状態にできる。あるいは、装着孔１０２ａを長く設けたものであれば、下部固定手段１０Ａを取り外すこと無くその位置を移動させることによってスロット機Ｓの設置に邪魔にならない不使用状態にできる。
【００６７】
補給装置２００を退避位置まで回動させるときは、図２から図６までに示したように、関連機器移動手段２０の取付部２１を下がっている状態から図９に示した上方に回動させた状態まで持ち上げる。この状態にするためには、先ず、一対のロック装置２２それぞれについて、解除ボタン２２４を操作してシャフト２２２をツマミ２２３側に引き、シャフト２２２の先端を使用状態ロック孔Ｃ１から外す。これにより、関連機器移動手段２０の取付部２１のロック状態が解除されるので、取付部２１を下がっている状態から上方に回動させることができる。
【００６８】
この状態にしてからロック装置２２のツマミ２２３をロック装置２２に向けて押し込む。このときシャフト２２２の先端は、図３および図９に示したロック板Ｂの不使用状態ロック孔Ｃ２に嵌入する。このようにして一対のロック装置２２それぞれについてシャフト２２２の先端をロック板Ｂの不使用状態ロック孔Ｃ２に嵌入させる。これにより、図９に示したように、関連機器移動手段２０に取り付けられた補給装置２００を退避位置に維持しておくことができる。
【００６９】
一方、アウトタンク３００は、カムロック３３のノブを回して関連機器移動手段３０と膳板１０２の係止状態を解除する。ここで関連機器移動手段３０を引き上げると関連機器移動手段３０を膳板１０２から取り外すことができる。なお、装着孔１０２ａを長く形成してあるものの場合には、カムロック３３のノブを回して関連機器移動手段３０と膳板１０２の係止状態を解除した後、アウトタンク３００がスロット機Ｓの設置に邪魔にならない位置まで関連機器移動手段３０を移動させて、その位置でカムロック３３のノブを回して関連機器移動手段３０を固定しておけばよい。
【００７０】
このように関連機器移動手段３０を退避位置まで回動させ、関連機器移動手段３０を膳板１０２から取り外し、あるいは移動させることにより、スロット機Ｓを膳板１０２の所定位置に設置することができる。このとき、上部固定手段１０と関連機器移動手段２０とはスロット機Ｓに対して図９に示した位置関係となる。なお、図９では下部固定手段１０Ａおよび関連機器移動手段３０は、遊技機島１００から取り外したものとしている。
【００７１】
なお、遊技機島１００に設置させているスロット機Ｓをパチンコ機Ｐに入れ替えるときは、スロット機Ｓを遊技機島１００から取り外した後に関連機器移動手段２０を図２や図６に示したように使用状態となる位置に下げればよい。また、関連機器移動手段３０は、上記の説明と逆の作業によって膳板１０２に取り付けるか、あるいは使用状態となる位置まで移動させればよい。
【００７２】
以上のように、本実施の形態に係る遊技機設置ユニット１によれば、遊技機島１００に設置されている遊技機Ｐ，Ｓから高さや奥行き等の外寸の異なる遊技機Ｓ，Ｐへの入替を、少ない作業数で容易にかつ短時間に行うことができる。
【００７３】
また、遊技機Ｐ，Ｓによって必要であったり不要であったりする遊技関連機器２００，３００を容易にかつ短時間に必要な使用状態としたり、不要な状態とすることができる。
【００７４】
以上、本発明の実施の形態を図面によって説明してきたが、具体的な構成は前述した実施の形態に限られるものではなく、本発明の要旨を逸脱しない範囲における変更や追加があっても本発明に含まれる。例えば、遊技機としてパチンコ機とスロット機を例にあげて説明したが、遊技機はこの２種類に限定されるものではない。また、遊技機島は、複数台の遊技機が設置されるものに限られず、一つの島に一台の遊技機を設置するいわゆる単体島であってもよい。
【産業上の利用可能性】
【００７５】
遊技機設置ユニットは、遊技機を設置する遊技機島に、外寸の異なる機種の遊技機を設置するためのものとしたが、鴨居と膳板に相当する部分の間に遊技機のような枠を有するもの或いは箱のようなものを設置、固定しておく場合に、それらの入れ替えに広く適用することができる。  
特に高さの異なるものの間で入れ替える場合には好適となる。
【符号の説明】
【００７６】
Ａ…開口
Ｂ…ロック板
Ｃ１…使用状態ロック孔
Ｃ２…不使用状態ロック孔
Ｐ…パチンコ機
Ｓ…スロット機
１…遊技機設置ユニット
２…ベースブラケット
１０…遊技機固定手段
１１…トグルクランプ
１１Ａ…トグルクランプ
２０…関連機器移動手段
２１…取付部
２２…ロック装置
３０…関連機器移動手段
３１…ベース板
３１ａ…取付部
３３…カムロック
１００…遊技機島
１０１…鴨居
１０２…膳板
１０２ａ…装着孔
１０３…台枠
１１０…ハンドル
１１１…ロックレバー
１１１ａ…係止爪
１１１ｂ…係止部
１２０…クランプアーム
１２１…スライド孔
１２２…ワッシャ
１２３…ナット
１３０…クランプボルト
１３１…ボルトヘッド
１３２…押圧部材
１３２ａ…固定部
１３２ｂ…突起部
１４０…蝶番
２００…補給装置
２２１…ケーシング
２２２…シャフト
２２３…ツマミ
２２４…解除ボタン
３００…アウトタンク
【図１】
2018029871.tif 000003
【図２】
2018029871.tif 000004
【図３】
2018029871.tif 000005
【図４】
2018029871.tif 000006
【図５】
2018029871.tif 000007
【図６】
2018029871.tif 000008
【図７】
2018029871.tif 000009
【図８】
2018029871.tif 000010
【図９】
2018029871.tif 000011